(57)【特許請求の範囲】
【請求項１】
複数のサービスについて設定の選択を行うか否かの組み合わせが複数規定されており、各組み合わせを識別する識別情報が対応付けられたテーブルを格納する記憶部と、
前記識別情報がコード化された二次元コードを読み取る読取装置と、
利用者を撮影して撮影画像データを生成する撮影装置と、
前記撮影画像データを印画紙にプリントして出力するプリンタと、
前記複数のサービスの設定の選択を利用者から受け付け可能な受付部と、
前記テーブルから、前記読取装置が前記二次元コードを読み取って取得した識別情報に対応する前記複数のサービスの設定の選択を行うか否かの組み合わせを抽出する抽出部と、
を備え、
前記受付部は、前記抽出部により抽出された組み合わせにおいて、設定の選択を行うとされたサービスの設定の選択を受け付け、設定の選択を行わないとされたサービスの設定の選択受け付けを省略することを特徴とする印画物作製装置。
【請求項２】
前記複数のサービスは、撮影画像の背景色の変更、及び撮影画像に対する肌質・肌色補正を含み、
撮影画像の背景色の変更について設定の選択を行う場合、前記受付部は、選択可能な背景色を表示部に表示して、背景色の選択を受け付け、
撮影画像に対する肌質・肌色補正について設定の選択を行う場合、前記受付部は、撮影画像内の人物画像の肌部分の肌質補正をするか否か、及び前記肌部分の色を色白にするか又は色黒にするかの選択を受け付けることを特徴とする請求項１に記載の印画物作製装置。
【請求項３】
前記受付部は、前記読取装置が前記二次元コードを読み取って取得された識別情報に対応するサービスの設定の選択を行うか否かの組み合わせについて、利用者から組み合わせ内容の変更の指示を受け付け、
変更後の組み合わせ内容に対応する識別情報を示す二次元コードを前記プリンタが出力することを特徴とする請求項１又は２に記載の印画物作製装置。
【請求項４】
携帯端末へ画像データを転送する通信装置をさらに備え、
前記複数のサービスは、携帯端末への画像データの転送、及び撮影画像のプリント出力の少なくともいずれか１つを含むことを特徴とする請求項１乃至３のいずれかに記載の印画物作製装置。
【請求項５】
複数のサービスについて設定の選択を行うか否かの組み合わせが複数規定されており、各組み合わせを識別する識別情報が対応付けられたテーブルを格納する記憶部を備えた印画物作製装置を用いた画像出力方法であって、
前記識別情報がコード化された二次元コードを読み取る工程と、
前記テーブルから、前記二次元コードを読み取って取得した識別情報に対応する前記複数のサービスの設定の選択を行うか否かの組み合わせを抽出する工程と、
前記抽出された組み合わせにおいて、設定の選択を行うとされたサービスの設定の選択を受け付け、設定の選択を行わないとされたサービスの設定の選択受け付けを省略する工程と、
利用者を撮影して撮影画像を生成する工程と、
設定の選択が行われたサービスに応じて前記撮影画像を出力する工程と、
を備える画像出力方法。
【発明の詳細な説明】
【技術分野】
【０００１】
本発明は、顔画像が印画された印画物を作製する印画物作製装置及び画像出力方法に関する。
【背景技術】
【０００２】
免許証、パスポート、履歴書等に貼付するための証明写真等を撮影するためのボックス型の写真撮影装置が知られている。写真撮影装置は、人物を撮影し、用途に応じた様々なサイズの写真をプリントして出力する。
【０００３】
撮影により得られた画像データを、利用者が所有するスマートフォン等の携帯端末へ転送する写真撮影装置が知られている。利用者は、携帯端末に保存された画像データを、就職活動のウェブエントリー等に使用できる。また、携帯端末に保存された画像データを写真撮影装置へ転送し、焼増しプリントするというサービスが提案されている。
【０００４】
さらに、撮影画像の背景色の選択や、肌質・肌色の補正等を行うことができる写真撮影装置も提案されている。
【０００５】
このような様々な機能を持つ写真撮影装置では、利用者は、証明写真の用途だけでなく、携帯端末に画像データを転送するか否か、印画紙にプリントして出力するか否か、背景色の選択を行うか否か、肌質の補正を行うか否かなど、多数の項目について選択を行う必要があり、操作が煩雑であるという問題があった。
【先行技術文献】
【特許文献】
【０００６】
【特許文献１】特開２００３−２０７８４０号公報
【発明の概要】
【発明が解決しようとする課題】
【０００７】
本発明は、上記従来の実状に鑑みてなされたものであり、簡便な操作で所望のサービスを利用者に提供できる印画物作製装置及び画像出力方法を提供することを課題とする。
【課題を解決するための手段】
【０００８】
本発明による印画物作製装置は、二次元コードを読み取る読取装置と、利用者を撮影して撮影画像データを生成する撮影装置と、前記撮影画像データを印画紙にプリントして出力するプリンタと、複数のサービスの設定の選択を利用者から受け付ける受付部と、を備え、前記読取装置が前記二次元コードを読み取った場合、前記二次元コードの読み取りにより取得された情報に基づくサービスの設定を行い、前記受付部は利用者からの選択受け付けを省略するものである。
【０００９】
本発明の一態様による印画物作製装置は、前記複数のサービスの設定の組み合わせと、前記組み合わせを識別する識別情報とを対応付けたテーブルを格納する記憶部と、前記テーブルから、前記読取装置が前記二次元コードを読み取って取得された識別情報に対応する複数のサービスの設定の組み合わせを抽出する抽出部と、をさらに備える。
【００１０】
本発明の一態様による印画物作製装置において、前記受付部は、前記読取装置が前記二次元コードを読み取って取得された情報に基づくサービスの設定について、利用者から設定変更の指示を受け付け、変更後のサービスの設定に対応する二次元コードを前記プリンタが出力する。
【００１１】
本発明による画像出力方法は、複数のサービスの設定の選択を利用者から受け付ける工程と、利用者を撮影して撮影画像を生成する工程と、前記設定されたサービスに応じて前記撮影画像を出力する工程と、を備え、二次元コードを読み取った場合、前記二次元コードの読み取りにより取得された情報に基づくサービスの設定を行い、前記利用者からの選択の受け付けを省略するものである。
【発明の効果】
【００１２】
本発明によれば、簡便な操作で所望のサービスを利用者に提供できる。
【図面の簡単な説明】
【００１３】
【図１】本発明の実施形態に係る印画物作製処理の概念図である。
【図２】同実施形態に係る印画物作製装置の概略構成図である。
【図３】演算制御装置の概略構成図である。
【図４】制御プログラムの実行により実現される機能ブロック図である。
【図５】設定条件テーブルの例を示す図である。
【図６】同実施形態に係る印画物作製方法を説明するフローチャートである。
【図７】サービス選択画面の例を示す図である。
【図８】設定項目確認画面の例を示す図である。
【図９】サービス選択画面の例を示す図である。
【図１０】サービス選択画面の例を示す図である。
【図１１】変形例による印画物作製処理の概念図である。
【発明を実施するための形態】
【００１４】
以下、本発明の実施の形態を図面に基づいて説明する。
【００１５】
図１は、本発明の実施形態に係る印画物作製処理の概念図である。印画物作製装置１は、利用者Ｐの顔画像を撮影し、撮影した画像を用途に応じたサイズで印画紙にプリントして出力したり、撮影した画像データを利用者Ｐが所有するスマートフォン等の携帯端末２へ転送したりする。また、印画物作製装置１は、撮影画像の背景色を変更したり、肌質や肌色を補正したりする機能を有する。
【００１６】
印画物作製装置１は、携帯端末２へ画像データを転送するか否か、撮影した画像を印画紙にプリントして出力するか否か、背景色の変更を行うか否か、肌質や肌色の補正を行うか否かなど、複数の項目（サービス）について利用者Ｐから選択を受け付けることができると共に、利用者Ｐが提示した二次元コード２ａを読み取って、複数の項目を一括設定することができる。
【００１７】
例えば、利用者Ｐは、携帯端末２を操作し、印画物作製装置１による画像撮影サービスを紹介するウェブサイトにアクセスする。このウェブサイトには、印画物作製装置１で設定可能な項目の組み合わせと、対応する二次元コードとが掲載されている。利用者Ｐは、希望する項目の組み合わせに対応する二次元コード２ａを携帯端末２のディスプレイに表示する。印画物作製装置１は、携帯端末２のディスプレイに表示された二次元コード２ａを読み取る。
【００１８】
あるいはまた、利用者Ｐは、印画物作製装置１による画像撮影サービスを紹介する雑誌等の書籍３を閲覧する。この書籍３には、印画物作製装置１で設定可能な項目の組み合わせと、対応する二次元コードとが掲載されている。利用者Ｐは、希望する項目の組み合わせに対応する二次元コード３ａを書籍３から切り抜き、印画物作製装置１へ持参する。印画物作製装置１は、二次元コード３ａを読み取る。
【００１９】
印画物作製装置１に二次元コード２ａ、３ａを読み取らせるだけで、複数の項目を一括自動設定できるため、操作が簡便となり、印画物作製装置１の利用時間を短縮することができる。以下、利用者Ｐが携帯端末２のディスプレイに二次元コード２ａを表示するものとして説明する。
【００２０】
図１、２に示すように、印画物作製装置１は、利用者Ｐの撮影を行う撮影空間を有するボックス型の証明写真撮影装置であり、利用者Ｐを撮影して撮影画像データを生成する撮影装置１１と、この撮影画像データに対して画像処理を施す演算制御装置１０と、利用者Ｐから各種指示を受け付けると共に、プレビュー画像や各種情報を表示するタッチパネル（指示受付部及び表示部）１２と、利用者Ｐが提示した二次元コード２ａを読み取る読取部１３と、音声案内等を出力するスピーカ１４と、撮影装置１１が利用者Ｐを撮影する際に光を照射するストロボ１５と、を備える。
【００２１】
この印画物作製装置１には、画像を印画紙にプリントして出力するプリンタ１６が設けられている。プリンタ１６のプリント方式は特に限定されず、インクジェット方式、昇華型熱転写方式、溶融型熱転写方式等を用いることができる。
【００２２】
また、印画物作製装置１は、携帯端末２へ画像データを転送する通信装置１７を備えている。
【００２３】
撮影装置１１は、例えばデジタルカメラであり、レンズ、シャッタ、ＣＭＯＳセンサ、Ａ／Ｄ変換器等を有する。撮影装置１１が利用者Ｐを撮影する場合には、ＣＭＯＳセンサが、レンズにより収束された撮影光を、シャッタを介して受光すると共に、受光面に結像された光学像を光電変換し、画像信号として出力する。そして、Ａ／Ｄ変換器が、ＣＭＯＳセンサから出力された画像信号をＡ／Ｄ変換し、撮影画像データを生成する。撮影装置１１は、撮影画像データを演算制御装置１０へ出力する。
【００２４】
タッチパネル１２は、操作ボタンを表示し、操作ボタンが押されると、その操作ボタンに対応した操作指示を受け付ける。例えば、タッチパネル１２は、利用者Ｐから、サービスの選択指示を受け付ける。この印画物作製装置１は、撮影画像の出力、個人番号カードの交付申請、携帯端末２から受信した画像データの再プリント（焼き増し）等のサービスを提供している。撮影画像の出力方法としては、印画紙へのプリント出力や、携帯端末２への画像データ転送等がある。
【００２５】
携帯端末２へ転送される画像データは、再プリント用と、ウェブ用とがある。再プリント用の画像データは、印画物作製装置１で再プリントするための専用データである。一方、ウェブ用の画像データは、就職活動のウェブエントリー等で使用できる汎用データであり、例えばＪＰＥＧ形式のデータである。
【００２６】
利用者Ｐを複数回撮影した場合、タッチパネル１２は複数の顔画像を表示し、利用者Ｐから選択指示を受け付けることができる。
【００２７】
本実施形態では、タッチパネル１２が、利用者Ｐからの指示の受け付け及び利用者Ｐに対する情報提示を行っているが、タッチパネル１２の代わりに、タッチ機能の無いディスプレイ及びボタンを設けてもよい。
【００２８】
印画物作製装置１には、利用者が支払う貨幣を受け入れたり、釣銭を払い出したりする課金部（図示せず）がさらに設けられている。また、印画物作製装置１に、電子マネーでの支払いを受け付ける課金部が設けられていてもよい。
【００２９】
演算制御装置１０は、印画物作製装置１の各部の制御やデータの受け渡しを行う。図３に、演算制御装置１０のハードウェア構成を示す。演算制御装置１０は、ＣＰＵ（中央演算処理部）１００、メインメモリ１０２、ディスク装置１０４、及び入出力部１０６を有する。演算制御装置１０の各部はバスを介して接続されている。
【００３０】
ディスク装置１０４は、例えばハードディスクドライブであり、制御プログラム１１０、設定項目テーブル１２０、及び背景画像データ１３０を格納する。
【００３１】
ＣＰＵ１００は、ディスク装置１０４内の制御プログラム１１０をメインメモリ１０２にロードして、制御プログラム１１０を実行する。
【００３２】
図４に、ＣＰＵ１００が制御プログラム１１０を実行することで実現される機能ブロック図を示す。制御プログラム１１０の実行により、選択部１１１、コード情報取得部１１２、設定項目抽出部１１３、画像処理部１１４、通信処理部１１５、及びプリント処理部１１６が実現される。
【００３３】
選択部１１１は、印画物作製装置１が提供する複数のサービスをタッチパネル１２に表示し、利用者Ｐから選択を受け付ける。
【００３４】
コード情報取得部１１２は、読取部１３を介して、利用者Ｐから提示された二次元コード２ａを読み取り、情報を取得する。例えば、二次元コード２ａは、ランダムな複数桁の英数字の文字列（識別情報）をコード化したものとなっている。この場合、コード情報取得部１１２は、英数字文字列を取得する。
【００３５】
ディスク装置１０４に格納されている設定項目テーブル１２０には、英数字文字列（識別情報）と、設定項目（サービス）の組み合わせとの対応関係が規定されている。図５に設定項目テーブル１２０に規定されている英数字文字列との対応関係の例を示す。
【００３６】
設定項目には、例えば、背景色の変更、肌質・肌色補正、ウェブ用の画像データの転送、再プリント用の画像データの転送、印画紙でのプリント出力等が含まれる。設定項目テーブル１２０に、各組み合わせの料金が規定されていてもよい。また、設定項目テーブル１２０に、撮影画像の用途が含まれていてもよい。
【００３７】
図５に示す例では、文字列「ｗｑ０ｇａＮｅｘｍｔ」には、『ウェブ用の画像データの転送と印画紙でのプリント出力を行い、背景色の変更、肌質・肌色補正及び再プリント用の画像データの転送は行わない』という設定項目の組み合わせが対応付けられている。
【００３８】
文字列「ＥｔＧ６ＳｖｊＢ２ｊ」には、『背景色の変更、肌質・肌色補正、及び印画紙でのプリント出力を行い、ウェブ用の画像データの転送及び再プリント用の画像データの転送は行わない』という設定項目の組み合わせが対応付けられている。
【００３９】
文字列「７ｐＬＫ２ｕＴ１Ｖｋ」には、『背景色の変更、肌質・肌色補正、ウェブ用の画像データの転送及び再プリント用の画像データの転送を行い、印画紙でのプリント出力は行わない』という設定項目の組み合わせが対応付けられている。
【００４０】
文字列「０ＢｗＲＩ０Ｅｆｒｇ」には、『背景色の変更、肌質・肌色補正、ウェブ用の画像データの転送、再プリント用の画像データの転送、及び印画紙でのプリント出力の全てを行う』という設定項目の組み合わせが対応付けられている。
【００４１】
設定項目抽出部１１３は、設定項目テーブル１２０から、コード情報取得部１１２が取得した情報（文字列）に対応する設定項目の組み合わせを抽出する。設定項目抽出部１１３は抽出した設定項目の組み合わせをタッチパネル１２に表示し、利用者Ｐに提示する。利用者Ｐが、表示された設定項目の組み合わせを承認すると、印画物作製装置１は、この設定項目の組み合わせに基づいて、各種処理を行う。
【００４２】
画像処理部１１４は、撮影装置１１により生成された撮影画像データに対し、背景色の変更や、肌質・肌色補正等の画像処理を施す。
【００４３】
例えば、背景色の変更を行う場合、画像処理部１１４は、ディスク装置１０４に格納されている背景画像データ１３０を用いて、選択可能な背景色をタッチパネル１２に表示する。利用者Ｐが背景色を選択すると、画像処理部１１４は、クロマキー合成による処理を用いて、撮影画像から利用者Ｐの人物画像を切り抜き、選択された背景色画像と合成する。これにより、背景色が変更される。
【００４４】
肌質補正を行う場合、画像処理部１１４は、撮影画像から切り抜いた人物画像に対して、顔（肌）の細かい凹凸やブツブツ感を軽減し、すべすべした質感に加工する処理を行う。例えば、顔の輪郭や、髪の毛、目、鼻、口等の輪郭部分のシャープネスを保持しつつ、顔の肌部分において、シミ、シワ等を除去・軽減したり、凹凸感を軽減してなめらかに見せたりするスムージング処理が行われる。
【００４５】
また、画像処理部１１４は、人物画像の肌部分の色を色白又は色黒にして、肌色を補正する。
【００４６】
画像処理部１１４は、撮影装置１２により生成された撮影画像データ又は作成した合成画像データをタッチパネル１２でのプレビュー表示に対応したサイズに縮小（リサイズ）し、プレビュー用画像データを生成する。
【００４７】
画像処理部１１４は、画像データを、プリンタ１６でプリントする写真サイズに対応したサイズに縮小（リサイズ）し、プリント用画像データを生成する。
【００４８】
また、画像処理部１１４は、必要に応じて、携帯端末２へ転送するための再プリント用の画像データや、ウェブ用の画像データを生成する。
【００４９】
通信処理部１１５は、通信装置１７を介して、画像データを携帯端末２へ送信する。
【００５０】
プリント処理部１１６は、演算制御装置１０の入出力部１０６を介してプリント用画像データをプリンタ１６へ送信し、プリンタ１６を制御して、画像を印画紙にプリントして出力する。
【００５１】
図６は、本実施形態に係る印画物作製方法を説明するフローチャートである。印画物作製装置１が利用者Ｐを撮影して印画紙にプリントして出力すると共に、携帯端末２へ画像データを転送する方法について説明する。
【００５２】
利用者Ｐが、印画物作製装置１の筐体内に進入すると、選択部１１１はタッチパネル１２にサービス選択画面を表示する（ステップＳ１０１）。例えば、タッチパネル１２に、図７に示すようなサービス選択画面２００が表示される。サービス選択画面２００は、パスポートの申請書や試験の受験票等に貼付するための顔写真を印画紙に出力するサービスの開始ボタン２０１、この顔写真をデジタルデータ形式で利用者Ｐが所有する携帯端末２へ転送するサービスの開始ボタン２０２、利用者Ｐが所有する携帯端末２に保存されている画像データを再プリント（焼き増し）するサービスの開始ボタン２０３、個人番号カード交付申請の開始ボタン２０４、二次元コード読取モードの開始ボタン２０５を含む。
【００５３】
開始ボタン２０５が押されると、二次元コードを読取部１３にかざすようにタッチパネル１２に案内が表示されると共に、スピーカ１４から案内の音声が出力される。利用者Ｐが携帯端末２のディスプレイに二次元コード２ａを表示させて読取部１３にかざすと、コード情報取得部１１２は、読取部１３を用いて二次元コード２ａを読み取って情報（英数字文字列）を取得する（ステップＳ１０２）。
【００５４】
設定項目抽出部１１３が、設定項目テーブル１２０から、コード情報取得部１１２により取得された情報（文字列）に対応する設定項目の組み合わせを抽出し、タッチパネル１２に設定項目確認画面を表示する（ステップＳ１０３）。例えば、タッチパネル１２に、図８に示すような設定項目確認画面２１０が表示される。
【００５５】
利用者Ｐは、背景色の変更、肌質・肌色補正、ウェブ用の画像データの転送、再プリント用の画像データの転送、及び印画紙でのプリント出力の全てが選択されていることを確認し、確認ボタン２１１を押す。
【００５６】
タッチパネル１２に課金画面が表示され、課金部が利用者Ｐからの入金を受け付けて課金処理を行う（ステップＳ１０４）。
【００５７】
課金処理後、タッチパネル１２に証明写真の用途の選択画面が表示される。利用者Ｐは、用途選択画面から、パスポート用、履歴書用、免許証用などの用途を選択する（ステップＳ１０５）。
【００５８】
撮影装置１１が利用者Ｐを撮影する（ステップＳ１０６）。撮影は１回でもよいし、複数回行えるようにしてもよい。本実施形態では撮影を複数回行える例について説明する。
【００５９】
画像処理部１１３が、撮影画像データからプレビュー用画像を作成してタッチパネル１２に表示し、利用者Ｐが確認できるようにする（ステップＳ１０７）。
【００６０】
利用者Ｐが撮り直しを希望する場合（ステップＳ１０８＿Ｙｅｓ）、再撮影する。
【００６１】
利用者Ｐは、タッチパネル１２に表示されている１以上のプレビュー画像から好みの画像を選択する（ステップＳ１０９）。
【００６２】
画像処理部１１４が、選択可能な背景色をタッチパネル１２に表示する。利用者Ｐが好みの背景色を選択すると、画像処理部１１４は、クロマキー合成による処理を用いて、撮影画像から利用者Ｐの人物画像を切り抜き、選択された背景色画像と合成する（ステップＳ１１０）。
【００６３】
画像処理部１１４が、人物画像の肌質、肌色の補正を行う（ステップＳ１１１）。例えば、画像処理部１１４は、肌質補正をするか否かの選択ボタンをタッチパネル１２に表示し、利用者Ｐが肌質補正を行うことを選択した場合、肌質補正後のプレビュー画像をタッチパネル１２に表示する。
【００６４】
また、画像処理部１１４は、肌色選択ボタンをタッチパネル１２に表示し、利用者Ｐが選択した肌色となるように肌色補正を行い、プレビュー画像をタッチパネル１２に表示する。例えば、色白に２段階、色黒に２段階の肌色が選択できるようになっている。
【００６５】
図６に示すフローチャートでは、背景色の選択後に肌質・肌色の補正を行っているが、背景色の選択前に肌質・肌色の補正を行ってもよい。
【００６６】
背景色の選択及び肌質・肌色の補正を行い、画像が確定すると、画像処理部１１４は、ステップＳ１０５で選択された用途に対応したサイズに画像データを縮小（リサイズ）し、プリント用画像データを生成する。プリント処理部１１６が、プリント用画像データをプリンタ１６へ送信し、プリンタ１６を制御して、画像を印画紙にプリントして出力する（ステップＳ１１２）。
【００６７】
画像処理部１１４が、再プリント用の画像データ及びウェブ用の画像データを生成する。通信処理部１１５が、通信装置１７を介して、再プリント用の画像データ、及びウェブ用の画像データを携帯端末２へ転送する（ステップＳ１１３）。
【００６８】
これにより、利用者Ｐは、背景色選択及び肌質・肌色補正した顔画像の印画物を入手すると共に、再プリント用の画像データ及びウェブ用の画像データを携帯端末２に保存することができる。
【００６９】
利用者Ｐが二次元コードを所有していない場合、ステップＳ１０１のサービス選択画面２００において、利用者Ｐは、所望のサービスを選択し、開始ボタンを押す。この例では、撮影画像の印画物と、再プリント用及びウェブ用の画像データとを入手することを希望しているため、開始ボタン２０２を押す。
【００７０】
開始ボタン２０２が押されると、タッチパネル１２に、図９に示すようなサービス選択画面２２０が表示される（ステップＳ１２０）。サービス選択画面２２０には、ウェブ用及び再プリント用の画像データの転送と印画紙でのプリント出力とを含むフルセットの選択ボタン２２１、再プリント用の画像データの転送及び印画紙でのプリント出力を含む標準セットIの選択ボタン２２２、ウェブ用の画像データの転送及び印画紙でのプリント出力を含む標準セットIIの選択ボタン２２３、印画紙でのプリント出力を行わず、ウェブ用及び再プリント用の画像データの転送のみの選択ボタン２２４が設けられる。この例では、フルセットの選択ボタン２２１を押す。
【００７１】
選択ボタン２２１が押されると、タッチパネル１２に、図１０に示すようなサービス選択画面２３０が表示される（ステップＳ１２１）。サービス選択画面２３０には、背景色の変更及び肌質・肌色補正を行うサービスの選択ボタン２３１、肌質・肌色補正のみ行うサービスの選択ボタン２３２、背景色の変更や肌質・肌色補正を行わないレギュラータイプの選択ボタン２３３が設けられる。この例では選択ボタン２３１を押す。
【００７２】
このようにサービス選択画面２２０、２３０で所望のサービスを選択すると、図８に示すような設定項目確認画面２１０が表示される（ステップＳ１０３）。
【００７３】
印画物作製装置１は複数のサービスを提供しており、１画面内に各サービスの詳細な内容は記載できず、利用者Ｐは、自身が所望するサービスがどれに相当するのか選択に手間取る。特に、操作に不慣れな利用者Ｐは、サービス選択画面２００、２２０、２３０において、目的のサービスを選択することが困難である。
【００７４】
一方、本実施形態に係る印画物作製装置１では、利用者Ｐが二次元コード読取モードの開始ボタン２０５を押し、読取部１３に二次元コードをかざすという簡便な操作だけで、複数の項目を一括設定し、利用者Ｐに所望のサービスを速やかに提供できる。
【００７５】
図６のステップＳ１０３の設定項目確認時に、一括設定された項目の一部を変更し、必要な項目（サービス）の追加や、不要な項目の削除が行えるようにしてもよい。また、一括設定された項目の一部を変更した場合、変更後の設定項目の組み合わせに対応する文字列を設定項目テーブル１２０から取り出し、取り出した文字列をコード化して二次元コードを生成し、この二次元コードをプリント出力してもよい。利用者Ｐは、印画物作製装置１の次回利用時に、プリント出力された新たな二次元コードを使用できる。
【００７６】
上記実施形態において、同じ設定項目の組み合わせについて複数の料金を設定し、料金毎に異なる情報（文字列）を紐付けてもよい。この場合、二次元コードに割引クーポンとしての役割を持たせることができる。
【００７７】
上記実施形態では、印画物作製装置１のディスク装置１０４に設定項目テーブル１２０が格納される例について説明したが、図１１に示すように、印画物作製装置１とインターネット等のネットワークを介して通信可能に接続されたサーバ装置４が設定項目テーブル１２０を保持してもよい。この場合、印画物作製装置１は、利用者Ｐから提示された二次元コードを読み取り、取得した情報（文字列）をサーバ装置４に通知し、設定項目の組み合わせを問い合わせる。サーバ装置４は、印画物作製装置１から文字列が通知されると、対応する設定項目の組み合わせを応答する。
【００７８】
このようなサーバ装置４を用いる構成では、新たな二次元コードが発行された場合、サーバ装置４内の設定項目テーブル１２０のみを更新すればよい。これは特に複数台の印画物作製装置１を使用する場合に好適である。
【００７９】
上記実施形態では、ランダムな複数桁の英数字の文字列をコード化した二次元コードを用いていたが、設定項目の組み合わせ内容を所定の形式で記載したものをコード化した二次元コードを用いてもよい。この場合、印画物作製装置１は、設定項目テーブル１２０を保持しておく必要はなく、設定項目の組み合わせ内容の記載形式に関する情報を保持していればよい。印画物作製装置１は、二次元コードを読み取り、設定項目の組み合わせを取得することができる。
【００８０】
上記実施形態において、印画物作製装置１が、撮影装置１１と、二次元コードを読み取る読取部１３とを備える構成について説明したが、撮影装置１１が撮影した二次元コードから情報を読み取る構成としてもよい。
【００８１】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００８２】
１  印画物作製装置
２  携帯端末
３  書籍
１０  演算制御装置
１１  撮影装置
１２  タッチパネル
１３  読取部
１４  スピーカ
１５  ストロボ
１６  プリンタ
１７  通信装置
【図１】
0006701949.tif 000002
【図２】
0006701949.tif 000003
【図３】
0006701949.tif 000004
【図４】
0006701949.tif 000005
【図５】
0006701949.tif 000006
【図６】
0006701949.tif 000007
【図７】
0006701949.tif 000008
【図８】
0006701949.tif 000009
【図９】
0006701949.tif 000010
【図１０】
0006701949.tif 000011
【図１１】
0006701949.tif 000012